(57)【要約】【課題】支柱を設けずに、フェンスの装飾性を高める。【解決手段】フェンス１は、互いに交差する複数の横線条２１及び縦線条２２からなる網体２と、網体２の側縁の少なくとも一部を地面に固定する土台５と、を備える。網体２の少なくとも一部は、湾曲可能となっている。これにより、網体２の少なくとも一部を湾曲させたことで、網体２の剛性を向上できる。また、湾曲させた網体２の側縁の少なくとも一部を土台５により地面に固定したことで、網体２の剛性を補強しこの網体２を地面に固定するための支柱が不要となる。したがって、支柱を設けずに、フェンスの装飾性を向上できる。【選択図】図１
0003122130.tif 000002
【実用新案登録請求の範囲】
【請求項１】
互いに交差する複数の線条からなる網体と、前記網体の側縁の少なくとも一部を地面に固定する土台と、を備えるフェンスであって、
前記網体の少なくとも一部は、湾曲可能であることを特徴とするフェンス。
【請求項２】
請求項１に記載のフェンスにおいて、
前記網体を複数備え、
これら複数の網体は、互いに連結可能であることを特徴とするフェンス。
【考案の詳細な説明】
【技術分野】
【０００１】
本考案は、フェンスに関し、特に、土地を区画するフェンスに関する。
【背景技術】
【０００２】
従来より、公園や公共施設等の不特定多数の人が出入りする場所において、人の立ち入る範囲を制限する場合には、立ち入り可能な範囲を囲むようにフェンスが設置される。また、私有地を区画する場合にも、境界線上にフェンスが設置される。
【０００３】
このようなフェンスとしては、例えば、縦横の線条からなるパネル面と、地面に固定されてパネル面を支持する支柱と、を備えた金網パネルユニットがある（特許文献１参照）。これら支柱同士は、固着手段で互いに固着できるようになっている。
この金網パネルユニットによれば、支柱同士を固着手段で互いに固着することで、土地を自在に区画することができる。
【特許文献１】実開平５−６６１７３号公報
【考案の開示】
【考案が解決しようとする課題】
【０００４】
しかしながら、このような金網パネルユニットをフェンスとして用いても、外観的な変化に乏しく、装飾性において十分とはいえない。また、パネル面を支持する支柱は、景観を著しく損なっている。
さらに、最近では、フェンスで土地を区画するだけでなく、空間を自在に仕切ることも要請されている。
本考案の目的は、装飾性を向上しかつ空間を自在に仕切ることができるフェンスを提供することである。
【課題を解決するための手段】
【０００５】
本考案では、以下のようなものを提供する。
【０００６】
（１）  互いに交差する複数の線条からなる網体（例えば、網体２）と、前記網体の側縁の少なくとも一部を地面に固定する土台（例えば、土台５）と、を備えるフェンス（例えば、フェンス１）であって、前記網体の少なくとも一部は、湾曲可能であることを特徴とするフェンス。
【０００７】
（１）の考案によれば、網体の少なくとも一部を湾曲させたことで、外観的な変化を多様化できるとともに、網体の剛性を向上できる。このように剛性が向上した網体の側縁の少なくとも一部を土台で地面に固定したことで、従来の支柱が不要となる。したがって、フェンスの装飾性を向上できる。
また、網体を湾曲させることで、空間を自在に仕切ることができる。
【０００８】
（２）  （１）に記載のフェンスにおいて、前記網体を複数備え、これら複数の網体は、互いに連結可能であることを特徴とするフェンス。
【０００９】
（２）の考案によれば、複数の網体を互いに連結可能としたので、湾曲させた網体を複数連結することで、多様な形状のフェンスを形成でき、フェンスの装飾性をより向上でき、さらに自在に空間を仕切ることができる。
【考案の効果】
【００１０】
網体の少なくとも一部を湾曲させたことで、外観的な変化を多様化できるとともに、網体の剛性を向上できる。このように剛性が向上した網体の側縁の少なくとも一部を土台で地面に固定したことで、従来の支柱が不要となる。したがって、フェンスの装飾性を向上できる。また、網体を湾曲させたことで、空間を自在に仕切ることができる。
【考案を実施するための最良の形態】
【００１１】
以下、本考案の実施形態を図面に基づいて説明する。なお、以下の実施形態の説明にあたって、同一構成要件については同一符号を付し、その説明を省略もしくは簡略化する。
〔第１実施形態〕
図１は、本考案の第１実施形態に係るフェンス１の斜視図である。
フェンス１は、第１の網体２ａ及び第２の網体２ｂを備える。これら網体２ａ、２ｂ同士は、連結部材４で連結され、これら網体２ａ、２ｂの側縁の一部は、土台５で地面に固定されている。
【００１２】
図２（ａ）は、第１の網体２ａの斜視図であり、図２（ｂ）は、第２の網体２ｂの斜視図である。
第１の網体２ａは、断面波状に形成され、第２の網体２ｂは、断面略円弧状に形成されている。
これら第１の網体２ａ及び第２の網体２ｂは、略平板矩形状の網体２が湾曲されて形成される。
【００１３】
網体２は、略短辺方向に延びる複数の横線条２１と略長辺方向に延びて複数の横線条２１に略直交方向に交差する複数の縦線条２２とで構成されている。これら複数の横線条２１及び複数の縦線条２２は、弾性変形可能な金属で形成され、互いに交差する部分で溶接されている。
これにより、例えば、網体２の略長辺方向に延びる縦線条２２を湾曲させることで、略短辺方向の剛性を向上でき、また、網体２の略短辺方向に延びる横線条２１を湾曲させることで、略長辺方向の剛性を向上できる。
【００１４】
図３は、第１の網体２ａと第２の網体２ｂとの連結部分の斜視図である。
第２の網体２ｂの先端の横線条２１は、第１の網体２ａの略長辺方向中間にある横線条２１に連結部材４で連結されている。
連結部材４は、金属製のバンド状である。連結部材４は、第１の網体２ａの横線条２１と第２の網体２ｂの短辺を形成する横線条２１とを略並行になるように連結する。
【００１５】
このように、湾曲させた複数の網体２それぞれの横線条２１を互いに略並行に配置し、この横線条２１同士を連結部材４により連結した。これにより、様々な形状に湾曲した網体２を組み合わせたことで、多様な形状のフェンスを形成できる。よって、フェンスの装飾性をより向上でき、さらに自在に空間を仕切ることができる。
【００１６】
図４は、第１の網体２ａ及び第２の網体２ｂの地面に固定された部分の斜視図である。
第１の網体２ａ及び第２の網体２ｂのそれぞれの長辺方向一端側は、土台５により地面に固定されている。
土台５は、略直方体状の土台本体５１と、この土台本体５１の上面に設けられた押さえ金具５２と、を備える。
土台本体５１は、コンクリート製である。この土台本体５１の下部は、地中に埋設され、土台本体５１の上部は、地面から露出している。
【００１７】
押さえ金具５２は、土台本体５１に埋設された基部５２１と、この基部５２１にボルト５２３で固定され基部５２１との間で網体２の横線条２１又は縦線条２２を挟持する挟持部５２２と、で構成されている。
基部５２１は、略直方体状に形成され、上面が露出するように、土台本体５１に埋設されている。基部５２１の上面には、挟持部５２２を固定するボルト５２３と螺合する複数のねじ孔が形成されている。
挟持部５２２は、略板状であり、ボルト５２３を挿通する複数の挿通孔５２２ａが基部５２１のねじ孔に対応して形成されている。この挟持部５２２の略中央には、網体２の横線条２１又は縦線条２２を挟持する略Ｕ字形の溝部５２２ｂが形成されている。
【００１８】
次に、第１の網体２ａを土台５に取り付ける手順について説明する。
まず、第１の網体２ａの先端の横線条２１を、押さえ金具５２の基部５２１の上面と、押さえ金具５２の挟持部５２２の溝部５２２ｂとで挟み込む。この状態で、ボルト５２３を挟持部５２２の挿通孔５２２ａに挿通して、基部５２１のねじ穴に螺合する。
【００１９】
なお、本考案では、第１の網体２ａ及び第２の網体２ｂでフェンス１を構成したが、これに限らず、図５に示すように、２つの第１の網体２ａでフェンス１ａを構成してもよい。
【００２０】
本実施形態によれば、以下のような効果がある。
（１）網体２の少なくとも一部を湾曲させたことで、外観的な変化を多様化できるとともに、網体２の剛性を向上できる。このように剛性が向上した網体２の側縁の少なくとも一部を土台５で地面に固定したことで、従来の支柱が不要となる。したがって、フェンスの装飾性を向上できる。また、網体２を湾曲させたことで、空間を自在に仕切ることができる。
【００２１】
〔第２実施形態〕
図６は、本考案の第２実施形態に係る連続フェンス１０の斜視図である。
連続フェンス１０は、第１のフェンス１、第２のフェンス１ａ、第３のフェンス１ｂ、第４のフェンス１ｃ、及び第５のフェンス１ｄで構成される。
これら第１〜第５のフェンス１、１ａ〜１ｄは、連結部材４で互いに連結されている。
【００２２】
図７は、フェンス１ｂの斜視図である。
フェンス１ｂは、略円弧状であり、第１実施形態における第２の網体２ｂを３つ備える。具体的には、フェンス１ｂは、第２の網体２ｂを略長辺方向に沿って３つ連続して連結することで形成される。このフェンス１ｂは、トンネル状に設置される。
このように、第２の網体２ｂを略長辺方向に沿って３つ連続して連結し、フェンス１ｂの形状を略円弧状にした。これにより、フェンスの装飾性をより向上でき、さらにトンネル状に囲むように空間を仕切ることができる。
【００２３】
図８は、フェンス１ｃの斜視図である。
フェンス１ｃは、略円弧状であり、第１実施形態における第２の網体２ｂを２つ、第１実施形態における第１の網体２ａを１つ備える。具体的には、フェンス１ｃは、第２の網体２ｂ、第１の網体２ａを略長辺方向に沿って３つ連続して連結することで形成される。このフェンス１ｃは、トンネル状に設置される。
このように、２つの第２の網体２ｂ、１つの第１の網体２ａを略長辺方向に沿って３つ連続して連結し、フェンス１ｃの形状を略円弧状にした。これにより、フェンスの形状に変化を持たせ、フェンスの装飾性をより向上でき、さらにトンネル状に囲むように空間を仕切ることができる。
【００２４】
図９は、フェンス１ｄの斜視図である。
フェンス１ｄは、波状であり、第１実施形態における第１の網体２ａ、第１実施形態における第２の網体２ｂを備える。具体的には、フェンス１ｄは、第１の網体２ａ、第２の網体２ｂを略長辺方向に沿って連続して連結することで形成される。また、フェンス１ｄは、地面に略垂直に設置される。
このように、第１の網体２ａ、第２の網体２ｂを長辺方向に沿って連続して連結し、地面に略垂直に設置し、フェンス１ｄの形状を波状にした。これにより、フェンスの形状に変化を持たせ、フェンスの装飾性をより向上できるとともに、土地を区画できる。
【００２５】
本実施形態によれば、上述の（１）の効果に加え、以下のような効果がある。
連続フェンス１０を、所定方向に沿ってフェンス１ｄ、フェンス１ａ、フェンス１ｃ、フェンス１ｂ、フェンス１ｂ、フェンス１ｃ、フェンス１、フェンス１ｄ、フェンス１ｄの順に配置して形成した。よって、連続フェンスを多様な形状にできるので、連続フェンスの装飾性をより向上でき、さらに自在に空間を仕切ることができる。
【００２６】
以上、実施形態について説明したが、本考案はこれに限られるものではない。
【００２７】
なお、本実施形態では、略矩形状の網体２を組み合わせてフェンス１、１ａ〜１ｄを形成したが、これに限らず、略円形や略楕円形などの異なる形状の網体を組み合わせてフェンスを形成してもよい。
また、本実施形態では、各網体２先端の横線条２１の両端及び略中央の３箇所で２つの網体２を連結したが、これに限らず、連結部材４の設置位置や連結部材４の数は適宜変更できる。
また、本実施例では、網体２先端の横線条２１の両端及び略中央の３箇所に土台５を設置することで、網体２を地面に固定したが、これに限らず、この土台５の設置位置や数は適宜変更できる。
【図面の簡単な説明】
【００２８】
【図１】本考案の第１実施形態に係るフェンスの斜視図である。
【図２】（ａ）は、断面波状に形成された第１の網体の斜視図である。（ｂ）は、断面略円弧状に形成された第２の網体の斜視図である。
【図３】第１の網体と第２の網体との連結部分の斜視図である。
【図４】第１の網体及び第２の網体の地面に固定された部分の斜視図である。
【図５】２つの第１の網体で構成したフェンスの斜視図である。
【図６】本考案の第２実施形態に係る連続フェンスの斜視図である。
【図７】略円弧状のフェンスの斜視図である。
【図８】略円弧状のフェンスの斜視図である。
【図９】波状のフェンスの斜視図である。
【符号の説明】
【００２９】
１、１ａ、１ｂ、１ｃ、１ｄ      フェンス
１０    連続フェンス
２      網体
２ａ      第１の網体
２ｂ      第２の網体
２１    横線条
２２    縦線条
４      連結部材
５      土台
５１    土台本体
５２    押さえ金具
【図１】
0003122130.tif 000003
【図２】
0003122130.tif 000004
【図３】
0003122130.tif 000005
【図４】
0003122130.tif 000006
【図５】
0003122130.tif 000007
【図６】
0003122130.tif 000008
【図７】
0003122130.tif 000009
【図８】
0003122130.tif 000010
【図９】
0003122130.tif 000011